(57)【要約】      （修正有）【課題】内部に存する気体により所定の形状を保つ袋体を備えてなる広告具であって、追加する広告情報を表示した副広告体を容易に着脱することができる広告具を提供する。【解決手段】内部に存する気体により所定の形状を保つ袋体２１と、該袋体の表面に磁石又は鋼材を磁力により吸引する、該袋体の内側に配設される吸引体と、を備えてなる広告具１１である。前記広告具を支持する支持物に、前記広告具を吊り下げる吊り下げ部６１を有するものであってもよい。【選択図】図２
0003132321.tif 000002
【実用新案登録請求の範囲】
【請求項１】
内部に存する気体により所定の形状を保つ袋体と、
該袋体の表面に磁石又は鋼材を磁力により吸引する、該袋体の内側に配設される吸引体と、
を備えてなる、広告具。
【請求項２】
前記広告具を支持する支持物に、前記広告具を吊り下げる吊り下げ部を有するものである、請求項１に記載の広告具。
【請求項３】
前記吊り下げ部により前記支持物に吊り下げられた際、前記吸引体が前記袋体の下面の内側に配設されるものである、請求項２に記載の広告具。
【請求項４】
水平な平面に載置された場合、前記下面が該平面に面するよう自動に起きあがるものである、請求項３に記載の広告具。
【請求項５】
前記吸引体が、砂鉄又は鉄粉を含むものである、請求項３又は４に記載の広告具。
【請求項６】
前記袋体の表面に表示された情報又は前記所定の形状により広告がなされるものである、請求項１乃至５のいずれか１に記載の広告具。
【考案の詳細な説明】
【技術分野】
【０００１】
本考案は、広告具に関し、より詳細には、内部に存する気体により所定の形状を保つ袋体を備えてなる広告具に関する。
【背景技術】
【０００２】
内部に存する気体により所定の形状を保つ袋体を備えてなる広告具は、袋体の表面に情報（例えば、文字、図、絵、記号、模様、写真等）を表示することや、該所定の形状に特徴を持たせることで広告用途にこれまで多く用いられてきた（例えば、特許文献１及び特許文献２参照）。
特許文献１は、「保持金具、支持片などの補助部品を使用せず、広告塔本体を安定的に支柱に保持する」（特許文献１の段落番号０００３）考案に係るものであり、具体的には、「円筒上部部品と空気注入孔を有する円筒下部部品によって密封された円筒状の塩化ビニール製の外円筒とその外円筒の軸心部に設けられた中空状の塩化ビニール製の内円筒とよりなる空洞部を有する広告塔本体およびその広告塔本体を保持する支柱と台座よりなる広告塔であって、広告塔本体の前記内円筒における内面部を支柱に嵌挿し、広告塔本体の前記空洞部に封入した空気圧によって内面部が、支柱に圧着して、広告塔本体を支柱に保持した。」（特許文献１の段落番号０００４）ものであり、それによって「広告塔本体の内面部を支柱に嵌挿し、広告塔本体の空洞部に注入した空気によって得られた空気圧によって内面部が、支柱に圧着して、広告塔本体を支柱に保持する構造であるので、保持金具、支持片などの補助部品や専用の工具を使用せず、広告塔を容易に、迅速に組み立てることが出来る。また、空気を注入する以前の広告塔本体は折り畳むことが出来るので、かさばらず貯蔵、運搬に便利である。さらには、多重の広告塔を扱う場合、これらの利点の及ぼす経済的効果は計りしれない。本広告塔は、使用状態では、広告塔本体が恰も風船の如く膨張しているので、支柱が倒れるようなことがあっても、比較的安全である。」（特許文献１の段落番号００１１〜００１２）という効果を奏する。
また、特許文献２は、本出願人が以前に出願したもので、流体を注入されることにより膨張する袋体により構成される本体部を備える表示装置が開示されている（特許文献２の請求項１等）。
【０００３】
【特許文献１】登録実用新案第３０６８６７３号（考案の詳細な説明の段落番号０００３〜００１２、第１図〜第４図、要約等）
【特許文献２】特開２００７−４７３４４号（例えば、発明の詳細な説明の段落番号０００２〜０００３、第１図、請求項１、要約等）
【考案の開示】
【考案が解決しようとする課題】
【０００４】
特許文献１に記載の広告塔は、内部に存する気体により所定の形状を保つ袋体である広告塔本体１を、保持金具、支持片などの補助部品を使用せず支柱に保持させることができ、広告塔本体１の主として外円筒１４に予め表示された情報（例えば、文字、図、絵、記号、模様、写真等）である広告情報によって広告をなすことができる。
しかしながら、特許文献１に記載の広告塔本体１に広告情報を追加しようとすると、広告塔本体１自体が気体が封入された袋体であるので、該追加する広告情報を表示した副広告体を広告塔本体１に容易に取り付けることができず（広告塔本体１を構成する袋体は、内部に気体が封入される風船状のものであるので、副広告体を取り付けることにより容易に破損等し得る。）、結局、該追加する広告情報を追加表示した広告塔本体１に交換するか、又は広告塔本体１の外円筒１４の空き部分に該追加する広告情報を追加表示することを要し、該追加する広告情報を追加表示したり、該追加する広告情報を後で削除することを容易に行うことはできなかった。
このような広告情報の追加表示や削除は、変化が著しい現代の商取引においてしばしば求められることであり、かかる広告情報の追加表示や削除が困難な「袋体を備えてなる広告具」は利用が促進されないこともあった。
【０００５】
そこで、本考案では、内部に存する気体により所定の形状を保つ袋体を備えてなる広告具であって、追加する広告情報を表示した副広告体を容易に着脱することができる広告具を提供することを目的とする。該広告具においては、追加する広告情報を表示した副広告体の着脱により、広告情報の追加表示や削除を可能ならしめるものである。
【課題を解決するための手段】
【０００６】
本考案の広告具（以下、「本広告具」という。）は、内部に存する気体により所定の形状を保つ袋体と、該袋体の表面に磁石又は鋼材を磁力により吸引する、該袋体の内側に配設される吸引体と、を備えてなる、広告具である。
本広告具は、大まかには、袋体と、該袋体の内側に配設される吸引体と、を備えてなる。
【０００７】
袋体は、内部に存する気体により所定の形状を保つものであればよく、内部に気体が封入され外部に流出しないよう密封される場合と、また、内部に存する気体が外部に流出すると共に該流出した気体を補うように内部に気体を吹き込むようにする場合（即ち、内部から外部に流出する分と、外部から内部に吹き込む分と、のバランスをとることで袋体の該所定の形状を保つ。）と、のいずれの場合であってもよい。
袋体内部の気体としては、種々のものが使用でき何ら制限されるものではなく、例えば、空気、水素、ヘリウム、ネオン、窒素、水蒸気等を例示できるが、安価、入手容易及び安全性からは空気を用いてもよい。
また、袋体を形成する材料としては、袋体の表面側に存する磁石又は鋼材と袋体の内側に配設される吸引体との間で磁力を透過させることができると共に内部に存する気体により所定の形状を保つことができるもの（可撓性及び柔軟性を有する。）であれば種々のものが使用でき何ら制限されるものではなく、例えば、樹脂又はゴム（樹脂及びゴムのいずれも人工（合成）と天然とのいずれも含む。）製のシートやフィルムや、布等を例示することができる。
なお、袋体が形成する「所定の形状」としては、袋体の外観により広告効果をうまく奏すると共に袋体の内側に吸引体を配設することができるものであればよく何ら制限されるものではないが、例えば、袋体の表面に広告に関する情報（例えば、文字、図、絵、記号、模様、写真等）をうまく表示することができるような形状（例えば、柱状（多角柱、円柱、半円柱等）、球、球冠（半球を含む））としたり、袋体の一部又は全部の形状に広告効果を奏するような特徴を持たせるような形状（例えば、広告したい物を直接又は間接に想起するような形状。例えば、ペットショップ等において広告したい物が猫であれば猫の形状としたり、たこ焼き店等において広告したい物がタコであればタコの形状としてもよい。）としてもよい。
【０００８】
吸引体は、袋体の内側に配設され、袋体の表面に磁石又は鋼材を磁力により吸引するものである。具体的には、吸引体としては、磁石に吸引される物（例えば、鋼材や砂鉄等を例示できる。以下、「鉄等物」という。）、磁石（永久磁石）及び電磁石等を例示でき、特に、安価で取り扱いも容易であることからは、鉄等物や磁石（永久磁石）を用いてもよい。このような袋体の内側に配設される吸引体は、袋体を透過する磁力によって、袋体の表面に磁石又は鋼材を吸引するので、追加する広告情報を表示した副広告体が磁石又は鋼材（これら磁石又は鋼材を吸引体が吸引する。）を有するようにすれば、副広告体が袋体の表面に磁力により吸引され、袋体表面に副広告体を容易に着脱（副広告体を袋体の表面に近づければ吸引され取り付けることができると共に、袋体表面に吸引され取り付けられた副広告体に力を加えて袋体表面から引き離すようにすれば取り外すことができる。）することができる。
また、吸引体は袋体の内側に配設されるので、吸引体が袋体外面に突出等することがなく副広告体を取り付けないときには袋体の外観を害さず無粋なものとしない。さらに、袋体を不透明なものとすれば吸引体が見えないので、副広告体を取り付けることは看者に意外性をもたらし本広告具に面白味を与え広告効果を高める。
以上のように本広告具は、内部に存する気体により所定の形状を保つ袋体を備えてなる広告具であって、追加する広告情報を表示した副広告体（磁石又は鋼材を有する。）を、袋体の内側に配設される吸引体により袋体の表面に磁力により吸引するので、袋体表面に容易に着脱することができる広告具である。これによって本広告具は、追加する広告情報を表示した副広告体の着脱により、広告情報の追加表示や削除を容易に可能ならしめる。
【０００９】
本広告具においては、前記広告具を支持する支持物に、前記広告具を吊り下げる吊り下げ部を有するもの（以下、「吊り下げ可能本広告具」という。）であってもよい。
このように本広告具が有する吊り下げ部により、支持物に本広告具を吊り下げることができるので、床面や机上に本広告具を載置等する場合に比し、袋体内側に吸引体を配設する自由度を増加させることができる（本広告具を載置等する場合であれば、床面や机上等の載置面に面する袋体の表面に副広告体を吸引させると、副広告体と載置面等が当接したり副広告体が隠れる等といった問題が生じうる。）。
吊り下げ部は支持物に本広告具を十分な強度で吊り下げることができるものであればよく何ら限定されるものではないが、例えば、支持物が棒状の突起であれば該突起に係合するフック状物や該突起を内嵌する貫通孔を有するものを例示することができる。
【００１０】
吊り下げ可能本広告具の場合、前記吊り下げ部により前記支持物に吊り下げられた際、前記吸引体が前記袋体の下面の内側に配設されるもの（以下、「吸引体下面配設本広告具」という。）であってもよい。
吸引体は、前述したように代表的には、鉄等物や磁石等であり、袋体に比して重量が大きい。一方、吊り下げ部により支持物に吊り下げられた本広告具は、内部に存する気体により所定の形状を保つ袋体が大きな部分を占めることから、袋体（例えば、風船に似た状態）は風に吹かれることや周囲の人に接触されること等によって不意に移動したり姿勢を乱しやすい。このため吊り下げ部により支持物に吊り下げられた本広告具において、重量の大きな吸引体が袋体の下面の内側に配設されるようにすれば、吸引体が袋体を下方に引っ張ることで、袋体が風に吹かれたり人に接触されること等によって不意に移動したり姿勢を乱すことを防止又は減少させることができる。
【００１１】
吸引体下面配設本広告具の場合、水平な平面に載置された場合、前記下面が該平面に面するよう自動に起きあがるものであってもよい。
上記のように重量の大きな吸引体が袋体の下面の内側に配設されることで、本広告具が水平な平面に載置された場合、前記下面（吸引体が内側に配設される面）が該平面（広告具が載置される水平な平面）に面するよう自動に起きあがる（所謂、起き上がり小法師のように起きあがるものである。）ようにすることができ、これにより袋体が風に吹かれたり人に接触されること等によって不意に姿勢を乱しても所定の姿勢へ自動に起きあがり修正される。
【００１２】
吸引体下面配設本広告具の場合、前記吸引体が、砂鉄又は鉄粉を含むものであってもよい。
吸引体下面配設本広告具においては、本広告具が吊り下げ部により支持物に吊り下げられた際、吸引体が袋体の下面の内側に配設される。重量の大きな吸引体が袋体の下面内側に配設された本広告具が不意に落下等した場合に、吸引体が配設された袋体下面が下方のものに衝突する可能性が高いので、重たい吸引体が硬いものであれば衝撃により該下方のもの（物のみならず人である可能性もある。）を損傷させ得る。これを防止するため、吸引体に含まれる鉄等物等を砂鉄又は鉄粉としてもよく、こうすれば重たい吸引体を柔らかくすることができ、吸引体が配設された袋体下面が下方のものに衝突しても吸引体が柔らかいので衝撃を小さくすることで該下方のものの損傷を防止又は減少させることができる。
【００１３】
本広告具においては、前記袋体の表面に表示された情報又は前記所定の形状により広告がなされるものであってもよい。
こうすることで、袋体の表面に広告に関する情報（例えば、文字、図、絵、記号、模様、写真等）を表示したり、袋体の一部又は全部の形状に広告効果を奏するような特徴を持たせる（例えば、広告したい物を直接又は間接に想起するような形状。例えば、ペットショップ等において広告したい物が猫であれば猫の形状としたり、たこ焼き店等において広告したい物がタコであればタコの形状としてもよい。）ことで、本広告具を観察した看者は、広告に関する情報を得たり、広告したい物を想起することができるので、本広告具が広告効果を奏することができる。
【考案を実施するための最良の形態】
【００１４】
本考案の実施の形態を図面を参照して詳述するが、本考案はこれに限定されるものではない。
【００１５】
図１は、一例の本考案の広告具（本広告具）１１を示す正面図であり、図２は図１のＡーＡ断面図である。図１及び図２を参照して、一例の本広告具１１について説明する。
本広告具１１は、大まかには、袋体２１と、袋体２１の内側に配設される吸引体たる砂鉄袋４１（特に、図２を参照されたい。）と、袋体２１の最上部に取り付けられた吊り下げ部６１と、を備えてなる。
なお、ここでは吊り下げ部６１により吊り下げられた際の鉛直上方向を「上」（図中、矢印Ｂ方向）とし、さらに鉛直下方向を「下」（図中、矢印Ｃ方向）とする。
【００１６】
袋体２１は、柔軟性を有する可撓性の樹脂（例えば、ポリ塩化ビニル）製シートにより形成された風船状のものであり、開状態の空気弁３１（特に、図２を参照されたい。）を経て外部７１から内部２３に気体（例えば、空気）を吹き込み、空気弁３１を閉じることで内部２３に気体（例えば、空気）を封入することで所定の形状を保持する（内部２３に封入された気体（例えば、空気）の圧力により該所定の形状を保持する。）。
ここでは該所定の形状は、動物のタコ（蛸）を想起させるようデフォルメした愛らしい形状であり、２本の脚部分２２ａ、２２ｂが本体部２２ｃから側方に突出すると共に、袋体２１の表面には種々の模様（はちまき２４ａ、目２４ｂ、口２４ｃ、６本の脚部分２４ｄ、吸盤２４ｅ等）が付されており、袋体２１（脚部分２２ａ、２２ｂ、本体部２２ｃ）の形状と該模様とが相俟ってタコ（蛸）を想起させる愛らしい外観を構成している。
【００１７】
砂鉄袋４１は、柔軟な可撓性の樹脂（例えば、ポリ塩化ビニル）製シートにより形成された密封された袋４３と、袋４３の内部に封入された砂鉄４５と、を有してなる（特に、図２を参照されたい）。
そして、砂鉄袋４１は、袋体２１の下面２５の内側（内部２３側）に接着又は融着により取り付けられている。
また、砂鉄袋４１は、内部２３に気体（例えば、空気）が封入された袋体２１の錘として機能し、本広告具１１が水平平面（図示せず）に載置された場合、下面２５が該平面に面するよう自動に起きあがる（起き上がり小法師の動作に類似する。）。
【００１８】
吊り下げ部６１は、樹脂材料により一体に形成されており、袋体２１の最上部に接着又は融着により取り付けられている。吊り下げ部６１は、本広告具１１を支持する支持物（図示せず。例えば、水平方向にのびる釘のような棒状部材等であってもよい。）に本広告具１１を吊り下げるものであり、該支持物を内嵌する貫通孔６１ｈを有している。この貫通孔６１ｈに該支持物を内嵌することで、吊り下げ部６１により十分な強度で本広告具１１を該支持物に吊り下げることができる。
【００１９】
次いで、本広告具１１の製造方法について簡単に説明する。
まず、袋４３の内部に砂鉄４５を封入して砂鉄袋４１を形成する。
次いで、袋体２１を形成するための形状に柔軟な可撓性樹脂製シートを裁断する。通常、主として表面（図１に示される面）を構成するための表シートと、主として裏面を構成するための裏シートと、を裁断し形成する。
そして、裁断したシートの所定個所に所定模様（はちまき２４ａ、目２４ｂ、口２４ｃ、６本の脚部分２４ｄ、吸盤２４ｅ等）を印刷等によって形成する。
さらに、裁断したシートの所定個所に空気弁３１及び砂鉄袋４１を取り付ける。
最後に、裁断したシート同士を融着や接着等により貼りあわせて袋体２１（風船状）を形成し、それに吊り下げ部６１を取り付けて本広告具１１が完成される。
【００２０】
本広告具１１の使用方法について説明する。
図１及び図２にて説明したように、本広告具１１の袋体２１に気体（空気）を吹き込む。具体的には、空気弁３１を開状態とし外部７１から内部２３に気体（空気）を吹き込み、空気弁３１を閉じて袋体２１の内部２３に気体（空気）を封入する。
そして、本広告具１１の吊り下げ部６１の貫通孔６１ｈに、水平方向にのびる棒状部材たる釘９１（本広告具１１を支持する支持物であり、釘９１の先端は柱等の十分な強度を有するものに打ち込まれている。）を嵌入し（図３参照）、釘９１に本広告具１１を吊り下げる。この状態においては、上述したように袋体２１（脚部分２２ａ、２２ｂ、本体部２２ｃ）の形状と、それに付された種々の模様（はちまき２４ａ、目２４ｂ、口２４ｃ、６本の脚部分２４ｄ、吸盤２４ｅ等）とが相俟った愛らしい外観によってタコ（蛸）を想起させ、本広告具１１の看者はタコ（蛸）に関連した商品（例えば、たこ焼き等）を販売しているであろうと期待することで本広告具１１は広告効果を奏する。
【００２１】
そして、このようにして釘９１に吊り下げられた本広告具１１には、自由に副広告体２０１（追加する広告情報を表示したもの）を着脱することができる。図３は、一例の副広告体２０１を取り付けたところを示す一部断面図（本広告具１１の断面は図２の断面に同じ。図２に示した要素と同じ要素には同じ参照番号を付している。）である。図３を参照して、本広告具１１に副広告体２０１を取り付ける状態について説明する。
副広告体２０１は、永久磁石を含む磁石収納部２０３（具体的には、略直方体の該永久磁石を、該永久磁石を保護するための合成樹脂製の薄い保護膜により被覆したものである。該永久磁石により生じる磁力は、ほとんど減衰することなく該保護膜を透過する。）と、広告情報（ここでは「本日大安売」と「２００円」とを２段書きしてなる。）を表示した表示板部２０７と、磁石収納部２０３と表示板部２０７とを連結する連結棒部２０５と、を含んでなる。このような副広告体２０１は、磁石収納部２０３が含む永久磁石が生じる磁力（砂鉄４５を吸引する。）により袋体２１の表面（下面２５）に吸引され容易に取り付けられる。この副広告体２０１（磁石収納部２０３）と袋体２１表面（下面２５）との取り付けは、上述のように磁石収納部２０３が含む永久磁石が生じる磁力（砂鉄４５を吸引する。）によっているので、副広告体２０１（磁石収納部２０３）を袋体２１表面（下面２５）から引き離すように力を加えることで、容易に副広告体２０１（磁石収納部２０３）を袋体２１表面（下面２５）から取り外すことができる。即ち、本広告具１１は、追加する広告情報（ここでは「本日大安売２００円」）を表示した副広告体２０１を容易に着脱することができるので、例えば、時々、価格２００円にて安売りするときは本広告具１１に副広告体２０１を容易に取り付けることができると共に、安売りしないときは本広告具１１から副広告体２０１を容易に取り外すことができ、極めて便利である。
【００２２】
以上説明したように、本広告具１１は、内部２３に存する気体（ここでは空気）により所定の形状（ここではタコ（蛸）を想起させる形状）を保つ袋体２１と、該袋体２１の表面に磁石又は鋼材（ここでは磁石収納部２０３が含む永久磁石）を磁力（磁石収納部２０３が含む永久磁石が生じる磁力）により吸引する、該袋体２１の内側に配設される吸引体たる砂鉄袋４１と、を備えてなる、広告具である。
そして、前記広告具１１を支持する支持物たる釘９１に、前記広告具１１を吊り下げる吊り下げ部６１を有するものである。
加えて、前記吊り下げ部６１により前記支持物（釘９１）に吊り下げられた際、前記吸引体（砂鉄袋４１）が前記袋体２１の下面２５の内側に配設されるものである。
また、本広告具１１が水平な平面に載置された場合、前記下面２５が該平面（本広告具１１が載置される水平な平面）に面するよう自動に起きあがるものである。
ここでは前記吸引体（砂鉄袋４１）が、砂鉄４５を含むものである。
加えて、前記袋体２１の表面に表示された情報（ここでははちまき２４ａ、目２４ｂ、口２４ｃ、６本の脚部分２４ｄ、吸盤２４ｅ等の模様）と前記所定の形状（ここではタコ（蛸）を想起させる形状）により広告がなされるものである。
【図面の簡単な説明】
【００２３】
【図１】一例の本考案の広告具（本広告具）を示す正面図である。
【図２】図１のＡーＡ断面図である。
【図３】本広告具に副広告体を取り付けたところを示す一部断面図である。
【符号の説明】
【００２４】
１１            本広告具
２１            袋体
２２ａ、２２ｂ  脚部分
２２ｃ          本体部
２３            内部
２４ａ          はちまき
２４ｂ          目
２４ｃ          口
２４ｄ          脚部分
２４ｅ          吸盤
２５            下面
３１            空気弁
４１            砂鉄袋
４３            袋
４５            砂鉄
６１            吊り下げ部
６１ｈ          貫通孔
７１            外部
９１            釘
２０１            副広告体
２０３            磁石収納部
２０５            連結棒部
２０７            表示板部
【図１】
0003132321.tif 000003
【図２】
0003132321.tif 000004
【図３】
0003132321.tif 000005